(57)【要約】【課題】  施工が簡単であるとともにあらゆるタイプの引き戸にも適合し、しかも三連引き戸のみならず、二連又は四連以上の引き戸にも適合可能で、しかも引き戸の建て込み及び連携手段の取付精度が高くなくても、引き戸の連動操作が確実に行え、しかも、引き戸の開閉時においてガタツキ等がなくスム−ズな開閉を可能とする引き戸の連携手段を有し、しかも引き戸開時に手指を挟んで怪我をする危険が無く安全で、しかも戸当たり時に衝撃や衝撃音の極めて少ない静音構造の引き戸の戸当たり構造を提供することにある。【解決手段】  左右の縦枠と下部の敷居及び上部の鴨居とからなる引き戸枠と、該引き戸枠内を走行する二連又は三連以上の引き戸からなる引き戸構造体の戸当たり構造であって、前記引き戸の縦框の所定箇所に引き戸どうしの連携手段が設けられているようにした。【選択図】        図３
2005194782.tif 000002
【特許請求の範囲】
【請求項１】
左右の縦枠と下部の敷居及び上部の鴨居とからなる引き戸枠と、該引き戸枠内を走行する二連又は三連以上の引き戸からなる引き戸構造体の戸当たり構造であって、前記引き戸の縦框の所定箇所に引き戸どうしの連携手段が設けられていることを特徴とする引き戸の戸当たり構造。
【請求項２】
前記連携手段が前記引き戸の縦框に設けられた連携体と該連携体に係合する係合体とから構成されており、前記連携体は２枚の連携片が水平方向の断面視鉤状に接続され、断面形状で略鉤状に折曲した形状を有し、該折曲箇所において段差が形成されており、正面視、端部略中央に係合凹部と該係合凹部の上下に凸部が形成され、略コの字型形状を有し、前記係合体は、係合片と該係合片の表面に形成され、前記連携体の係合凹部に係合する突出部からなり、前記引き戸の縦框の所定箇所に前記連携体及び係合体が設けられていることを特徴とする請求項１に記載の引き戸の戸当たり構造。
【請求項３】
前記連携体の２枚の連携片が形成する段差部分に前記鉤状折曲部の折曲角度が鋭角となる方向の第１の傾斜面が形成されており、前記連携体の正面視略コの字型形状の上下両凸部の端面に前記第１の傾斜面と逆向きの第２の傾斜面が形成されており、前記連携体の係合凹部の底部に前記第１の傾斜面と逆向きの第３の傾斜面が形成されており、該第３の傾斜面に見合った傾斜角度と向きを有する第４の傾斜面が、前記係合体の突出部の後端部に形成されており、引き戸開閉時に、前記連携体及び係合体の各傾斜面どうしが当接することで引き戸どうしを連携することを特徴とする請求項１又は２に記載の引き戸の戸当たり構造。
【請求項４】
前記連携体の連携片の凸部端面に形成されている前記第２の傾斜面の両端部に平担部が形成されていることを特徴とする請求項１〜３のいずれかに記載の引き戸の戸当たり構造。
【請求項５】
前記連携体及び係合体の表面が軟質の材料で被覆されていることを特徴とする請求項１〜４のいずれかに記載の引き戸の戸当たり構造。
【発明の詳細な説明】
【技術分野】
【０００１】
本発明は建物などに使用される引き戸構造体、詳しくは二連又は三連又はそれ以上の連動引き戸の戸当たり構造に関する。
【背景技術】
【０００２】
従来、二連、三連又はそれ以上の連動引き戸において、各引き戸を開時、閉時に連動させて開閉操作を可能にするために、引き戸の上端部と鴨居の上部レ−ルとの間に連携プレ−トを設けることで、引き戸の連動開閉を可能としていた。引き戸上端面のピン状走行軸と引き戸下端面のピボットによって走行するタイプの連動引き戸においては、各引き戸の上端面の前後部に設けられたピン状走行軸どうしを連携プレ−トの長孔に挿入し、次いで引き戸を下降させて下端のピボットを下部の敷居の下部レ−ルに挿入して、いわゆる、けんどん式に引き戸を建て込む方式が行われていた。しかし、このような建て込みはピン状走行軸によって走行するタイプの引き戸において可能であり、ランナ−によって走行するタイプの引き戸においては建て込みができなくなる。
【０００３】
このために、ランナ−走行タイプの引き戸のための連携プレ−トとして、ランナ−走行タイプの引き戸においても建て込み可能な連携プレ−トとして、例えば、軸係入溝と連携当たりを備えた平面視略Ｈ形部と、軸当たりと開口部を備えた平面視略Ｃ字状部を設けてなる連携プレ−トがある。（特許文献１参照）
【特許文献１】特開２００２−３８８１９号公報（第２−４頁、第１−６図）
【発明の開示】
【発明が解決しようとする課題】
【０００４】
しかしながら、上記、いずれの連携プレ−トにおいても、引き戸の走行方式によって適合する連携プレ−トの形態が異なり、しかも引き戸上部にピン状走行軸又はランナ−ロ−ラ−の走行軸を有するタイプの引き戸においてのみ適合するものである。これら以外の、例えば、引き戸上端部に設けた切欠段部を鴨居溝に差し込み、走行する方式の引き戸においては、適合できなかった。また、三連タイプの連動引き戸において適合するものであり、二連又は四連以上の引き戸においては適合できなかった。
【０００５】
また、特に特開２００２−３８８１９号公報に記載のものは、連携プレ−トの取付位置精度が重要で、精度が悪いと走行軸と連携プレ−トに設けられた軸係入溝や開口部とが噛み合わず、うまく機能しない。従って施工する際、熟練した職人の手を必要とし施工費用もかさむものであった。
【０００６】
本発明は、上述した事情に鑑みてなされたもので、施工が簡単であるとともにあらゆるタイプの引き戸にも適合し、しかも三連引き戸のみならず、二連又は四連以上の引き戸にも適合可能で、しかも引き戸の建て込み及び連携手段の取付精度が高くなくても引き戸の連動操作が確実に行え、しかも、引き戸の開閉時においてガタツキ等がなくスム−ズな開閉を可能とする引き戸の連携手段を有し、しかも引き戸開時に手指を挟んで怪我をする危険が無く安全な引き戸の戸当たり構造で、しかも戸当たり時に衝撃や衝撃音の極めて少ない静音構造の戸当たり構造を提供することにある。
【課題を解決するための手段】
【０００７】
上記課題を解決するためになされた請求項１に記載の本発明の引き戸の戸当たり構造は、
左右の縦枠と下部の敷居及び上部の鴨居とからなる引き戸枠と、該引き戸枠内を走行する二連又は三連以上の引き戸からなる引き戸構造体の戸当たり構造であって、前記引き戸の縦框の所定箇所に引き戸どうしの連携手段が設けられていることを特徴とする。
【０００８】
このような構成を有する本発明によれば、引き戸の開時及び閉時の連携手段が引き戸の縦框の所定箇所に設けられているので、走行軸による走行方式の引き戸以外であっても適合可能となる。また、引き戸の連動枚数が三連引き戸のみならず、二連又は四連以上の引き戸においても適合可能となる。
【０００９】
請求項２記載の本発明の引き戸の戸当たり構造は、請求項１に記載の引き戸の戸当たり構造において、前記連携手段が前記引き戸の縦框に設けられた連携体と該連携体に係合する係合体とから構成されており、前記連携体は２枚の連携片が水平方向の断面視鉤状に接続され、断面形状で略鉤状に折曲した形状を有し、該折曲箇所において段差が形成されており、正面視、端部略中央に係合凹部と該係合凹部の上下に凸部が形成され、略コの字型形状を有し、前記係合体は、係合片と該係合片の表面に形成され、前記連携体の係合凹部に係合する突出部からなり、前記引き戸の縦框の所定箇所に前記連携体及び係合体が設けられていることを特徴とする。
【００１０】
このような構成を有する本発明によれば、前記連携手段が引き戸の縦框に設けられた連携体と該連携体に係合する係合体とから構成されており、引き戸縦框の所定箇所に設けられているので、前記連携体の鉤状段差部どうしの当接、前記連携体の略コの字型形状の凸部どうしの当接、前記連携体の係合凹部と前記係合体の突出部との当接によって、引き戸開閉時において、各引き戸の確実な連携が可能となり、走行軸による走行方式の引き戸以外であっても適合可能となり、引き戸の連動枚数も三連引き戸のみならず、二連又は四連以上の引き戸においても適合可能となる。
【００１１】
しかも、各引き戸の連携動作性が良好且つ確実なる引き戸の戸当たり構造が可能となる。さらに引き戸連携手段の取付も容易で、引き戸の縦框に前記連携手段を取り付けた状態で引き戸を簡単に建て込みできる。
【００１２】
すなわち、引き戸開時において、前記連携体に形成されている係合凹部に前記係合体に設けられた突出部の後端部が係合して当接し、引き戸どうしを連携しつつ引き戸を開くことが可能で、引き戸の連携動作が確実に行える。また、逆に引き戸の閉時においては、連携体の鉤状折曲部に形成されている前記鉤状段差部どうしが係合して当接し、引き戸を閉めることが可能で、引き戸の連携動作が確実に行える。
【００１３】
さらに、引き戸の開時において、最奥側の引き戸の閉め終わり時に、前記連携体の略コの字型形状の凸部どうしが当接することで、引き戸の手指を掛けた箇所が引き戸間に引きかまれてしまうことによる手指の挟み込みを有効に防止できる。
【００１４】
請求項３記載の本発明の引き戸の戸当たり構造は、請求項１又は２に記載の引き戸の戸当たり構造において、前記連携体の２枚の連携片が形成する段差部分に前記鉤状折曲部の折曲角度が鋭角となる方向の第１の傾斜面が形成されており、前記連携体の正面視略コの字型形状の上下両凸部の端面に前記第１の傾斜面と逆向きの第２の傾斜面が形成されており、前記連携体の係合凹部の底部に前記第１の傾斜面と逆向きの第３の傾斜面が形成されており、該第３の傾斜面に見合った傾斜角度と向きを有する第４の傾斜面が、前記係合体の突出部の後端部に形成されており、引き戸開閉時に、前記連携体及び係合体の各傾斜面どうしが当接することで引き戸どうしを連携することを特徴とする。
【００１５】
このような構成を有する本発明によれば、前記連携体に形成された第１の傾斜面どうし、第２の傾斜面どうし、さらに、前記連携体に形成された第３の傾斜面と前記係合体に形成された第４の傾斜面どうしが当接する際、該傾斜面の働きで、引き戸どうしを噛み合わせて引き合う方向に力が働くので、当接箇所で滑って引き戸の連携動作不良が生じるといった恐れがなくなり、よりいっそう確実な引き戸の連携が行え、引き戸の開閉動作性がよりいっそう向上する。すなわち、引き戸の建て込み精度や連携手段の取付精度がそれほど高くなくても、若干の誤差があっても、引き戸の開時及び閉時において、引き戸の連携動作をよりいっそう確実に行うことができる。
【００１６】
また、特に、前記連携体の正面視略コの字型形状の上下両凸部の端面に形成された第２の傾斜面の働きは引き戸開時において、最奥側の引き戸とそのすぐ手前の引き戸が所定位置で停止せず、開き過ぎてしまうことによって、手指が引き戸間へ挟みこまれ、怪我をするといったことをよりいっそう確実に防止できる。また、引き戸開閉時のガタツキや支障をよりいっそう有効に防止できる。
【００１７】
請求項４記載の本発明の引き戸の戸当たり構造は、請求項１〜３のいずれかに記載の引き戸の戸当たり構造において、前記連携体の連携片の凸部端面に形成されている前記第２の傾斜面の両端部に平担部が形成されていることを特徴とする。
【００１８】
このような構成を有する本発明によれば、前記連携体の連携片の凸部端面に形成されている前記第２の傾斜面の両端部に平担部が形成されているので、引き戸開時において、引き戸の開き終わり時に前記第２の傾斜面の働きで、引き戸どうしが噛み合って引き合う方向に力が働く際に、前記平担部どうしが確実に当接することによって、引き戸の建て付け精度が完璧でなくても若干の遊びがあっても、引き戸どうしが引き合う方向に滑って、ガタツキ等が発生することを、よりいっそう確実に防止できる。
【００１９】
請求項５記載の本発明の引き戸の戸当たり構造は、請求項１〜４のいずれかに記載の引き戸の戸当たり構造において、前記連携体及び係合体の表面が軟質の材料で被覆されていることを特徴とする。
【００２０】
このような構成を有する本発明によれば、連携体Ｃ及び係合体Ｋの表面が軟質の材料で被覆されているので、前記連携体と係合体が当接した際に、表面が軟質材料で被覆されていると衝撃やそれにともなって発生する衝撃音及び衝撃による戸板の跳ね返りが抑制され、静音効果も高く、使い勝手にとって好適なものとなる。
【発明の効果】
【００２１】
本発明によれば、引き戸の開時及び閉時の連携手段が引き戸の縦框の所定箇所に設けられているので、走行軸による走行方式の引き戸以外であっても適合可能となる。また、引き戸の連動枚数が三連引き戸のみならず、二連又は四連以上の引き戸においても適合可能となる。
【００２２】
また、前記連携手段が引き戸の縦框に設けられた連携体と該連携体に係合する係合体とから構成されており、引き戸開時において前記連携体の係合凹部に形成された第３の傾斜面と前記係合体の突出部後端部に形成された第４の傾斜面どうしが当接する際、また、引き戸閉時において、前記連携体の鉤状段差部に形成された第１の傾斜面どうしが当接する際、前記傾斜面の働きで、引き戸どうしを噛み合わせて引き合う方向に力が働くので、当接箇所で滑って引き戸の連携動作不良が生じるといった恐れがなくなり、よりいっそう確実な引き戸の連携が行え、引き戸の開閉動作性がよりいっそう向上する。すなわち、引き戸の建て込み精度や連携手段の取付精度がそれほど高くなくても、若干の誤差があっても、引き戸の開時及び閉時において、引き戸の連携動作をよりいっそう確実に行うことができるのである。
【００２３】
また、引き戸開時において、前記連携体の凸部端面に形成された第２の傾斜面どうしが当接する際、前記傾斜面の働きで、引き戸どうしを噛み合わせて引き合う方向に力が働くので、引き戸の開時において、最奥側の引き戸の閉め終わり時に、最奥側の引き戸とそのすぐ手前の引き戸が所定位置で停止せず、開き過ぎてしまうことによって、引き戸の手指を掛けた箇所が引き戸間に引きこまれてしまうことによる手指の挟み込みを有効に防止できるとともに、引き戸開閉時のガタツキやそれによる支障をよりいっそう有効に防止できる。
【００２４】
また、前記連携体の連携片の凸部端面に形成されている前記第２の傾斜面の両端部に平担部が形成されているので、引き戸開時において、引き戸の開き終わり時に前記第２の傾斜面の働きで、引き戸どうしが噛み合って引き合う方向に力が働く際に、前記平担部どうしが確実に当接することによって、引き戸の建て付け精度が完璧でなくても若干の遊びがあっても、引き戸どうしが引き合う方向に滑って、ガタツキ等が発生することを、よりいっそう確実に防止できる。また、本発明の連携体Ｃ及び係合体Ｋの表面が軟質の材料で被覆されているので、前記連携体と係合体が当接した際に、表面が軟質材料で被覆されていると衝撃やそれにともなって発生する衝撃音及び衝撃による戸板の跳ね返りが抑制され、静音効果も高く、使い勝手にとって好適なものとなる。
【発明を実施するための最良の形態】
【００２５】
本発明の詳細を図面に従って説明する。図１は本発明の引き戸の戸当たり構造を有する引き戸構造体を示す正面図である。図２は図１におけるＡ−Ａ線断面図である。図３は連携体と係合体からなる本発明の引き戸の戸当たりを示す斜視図である。図４は図３にける水平断面図であり、（イ）はＡ−Ａ線断面図、（ロ）はＢ−Ｂ線断面図である。図５は本発明の連携体、係合体の当接状態を示す水平断面図である。（イ）は引き戸閉時における連携体の第１傾斜面どうしの当接状態を示し、（ロ）は引き戸開時における連携体の第２傾斜面どうしの当接状態を示し、（ハ）は引き戸開時における連携体の第３傾斜面と係合体の第４傾斜面どうしの当接状態を示す。図６は本発明の戸当たり構造を有する引き戸構造体の戸板開閉動作説明の平面図である。
【００２６】
図１及び図２において、本発明の引き戸の戸当たり構造を有する引き戸構造体１は、１例として、左右の縦枠２と鴨居としての上枠３ａ及び敷居としての下枠３ｂによって枠体が構成されている。前記上枠３ａには鴨居溝（図示せず）又は上レ−ル（図示せず）が設けられており、下枠３ｂには敷居溝（図示せず）又は下レ−ル（図示せず）が設けられている。このようにして形成された枠体内に戸板４が２枚又は３枚又はそれ以上の複数枚装着されている。本例では戸板三枚の連動引き戸の場合を示す。
【００２７】
前記戸板４の両面又は片面に必要に応じて化粧面材ｍが貼着されている。前記戸板４は基材の例として、木質の合板、中比重繊維板、パ−ティクルボ−ド等の他、板紙、ダンボ−ル芯等の紙製基材や鋼板等の金属製基材を挙げることができる。該化粧面材ｍの例としては、天然銘木からなる突板、単板の他、塩ビシ−ト、ポリオレフィンシ−ト、薄葉紙などからなる化粧紙等を挙げることができる。
【００２８】
前記戸板４が前記枠体内を走行する仕組みは、上枠３ａに設けた前記鴨居溝と下枠３ｂに設けた前記敷居溝の場合は、戸板４の上部に切り欠き部（図示せず）を設け、戸首を形成し、該戸首が鴨居溝内を走行する。一方、下枠側においては、同様に戸板４の下部に切り欠き部（図示せず）を形成し、該切り欠き部が敷居溝内を走行する仕組みか又は、戸板４の下部に戸車（図示せず）を取り付け、該戸車が下枠３ｂの敷居溝内を走行する仕組みとなっている。
【００２９】
また、他の仕組みとしては、上枠３ａに前記上レ−ル（図示せず）を装着し、下枠３ｂに下レ−ル（図示せず）を装着した構造のものがある。この構造のものは、戸板４の上部に吊り車７を取り付け、一方、戸板４の下部において下部振れ止めＳを取り付け、戸板走行時に戸板４の下部が振れ動くことを防止し、上枠３ａ内に装着された上レ−ル内を前記吊り車７が走行する仕組みのものがある。
【００３０】
図１に示す本例では、戸板４が三枚で構成された三連引き戸の場合を示すが、本発明の戸当たり構造は二連引き戸においても適用でき、又三連以上の引き戸においても適用できる。また、戸板４の走行方式が前記したように、吊り車方式、戸車方式、戸首スライド方式、又はそれ以外の戸板走行方式であっても適用可能である。
【００３１】
本例において戸板４の構成は、戸板４の周囲は左右の縦框５ａと上下の横框５ｂによって四周を囲われ、その内部に上記したように、基材（図示せず）の表裏両面に化粧面材ｍを貼着して仕上げられた構成となっている。しかし、本発明の戸当たり構造は本例に示す以外の戸板構成であってもよい。
【００３２】
また、本例においては、三枚の戸板４の戸当たり構造として、各戸板４の縦框の上部及び下部の所定位置に連携手段Ｒが取り付けれれており、それらが引き戸の戸板４を開く際及び閉める際に互いに連携して戸板４の開閉動作がスム−ズに行われる構成となっている。本発明の連携手段Ｒは本例に示すように戸板４の縦框５ａに必ずしも取り付ける必要はなく、縦框５ａの無い構造の戸板においては、適宜取り付け位置を決めればよい。また、前記連携手段Ｒの戸板４への取り付け位置は本例に示すように、必ずしも各戸板４の上部及び下部の２カ所でなくてもよい。ほぼ中央の適当な位置を選定してもよい。また、上中下の３カ所であっても勿論よい。
【００３３】
図３、図４において、本発明の引き戸の戸当たり構造における連携手段Ｒは連携体Ｃと該連携体Ｃに係合する係合体Ｋの２種類の構成部材から成っている。前記連携体Ｃは２枚の連携片Ｇ１及びＧ２とから成り、該２枚の連携片は、正面視横方向にずらして重ねて張り合わされた形状で図３のＢ−Ｂ線断面で、断面視鉤状に接続され、図３のＢ−Ｂ線断面形状で略鉤状に折曲した形状を有し、該折曲箇所において鉤状の段差Ｄが形成されている。さらに、本発明の連携体Ｃは、正面視、連携片Ｇ１の端部の略中央に係合凹部Ｕが形成されており、該係合凹部Ｕの上下部分は凸部Ｐ形成されている。このようにして、本発明の連携体Ｃは正面視略コの字型形状を有している。
【００３４】
さらに、本発明の連携体Ｃは、前記鉤状の段差Ｄの部分において、前記鉤状折曲部の折曲角度が鋭角となる方向の第１の傾斜面Ｅ１が形成されており、前記連携体Ｃの正面視略コの字型形状の上下部分に形成されている前記両凸部Ｐの第１の傾斜面Ｅ１と反対側の端面に前記第１の傾斜面Ｅ１と逆向きの第２の傾斜面Ｅ２が形成されている。さらに、前記第２の傾斜面Ｅ２の厚み方向における両端部に平担部Ｈが形成されている。また、本発明の連携体Ｃの前記係合凹部Ｕの底部において前記第１の傾斜面Ｅ１と逆向きの第３の傾斜面Ｅ３が形成されている。
【００３５】
また、本発明の連携体Ｃを戸板４の縦框５ａに取り付けるための貫通したネジ穴Ｎが本例では、前記鉤状の段差Ｄの部分に上下２カ所設けられている。但し、このネジ穴Ｎの数、位置、貫通状態は一例であって、必ずしも本例のとおりでなくとも良く、戸板４の縦框５ａの所定箇所に取り付けできる構成のものであれば適宜仕様を決めればよい。
【００３６】
一方、本発明の係合体Ｋは、係合片Ｊと該係合片Ｊ表面に形成された突出部Ｔから成っている。前記突出部Ｔは前記連携体Ｃの係合凹部Ｕと係合する構成となっている。さらに、前記突出部Ｔの後端部端面において、前記連携体Ｃの前記係合凹部Ｕの底部に形成されている前記第３の傾斜面Ｅ３に見合った傾斜角度と向きを有する第４の傾斜面Ｅ４が形成されている。このようにして本発明の連携体Ｃ及び係合体Ｋに設けられた傾斜面どうしが当接し互いに係合し合って戸板４どうしが連携して引き戸開閉がスム−ズに行われるように構成されている。
【００３７】
本発明の連携体Ｃ及び係合体Ｋは、１例として、アルミ、真鍮メッキ鋼板、亜鉛引き鉄板等の薄板の折り曲げ成型、打ち抜き成型、鋳物成型で作製された金属製部材を芯材として、その表面は軟質材料で被覆されている。軟質材料の１例として、軟質の塩ビ樹脂、ポリオレフィン樹脂、ナイロン樹脂、ポリエチレン樹脂、シリコン樹脂、ウレタン樹脂等を挙げることができる。これらで被覆されたものが好適である。
【００３８】
その理由は、前記連携体Ｃと係合体Ｋが当接した際に、表面が軟質樹脂で被覆されていると衝撃やそれにともなって発生する衝撃音及び衝撃による戸板の跳ね返りが抑制されるので、使い勝手にとって好適なものとなるからである。また、軟質材料として、上記の他、軟質の塩ビ樹脂、ポリオレフィン樹脂、ナイロン樹脂、ポリエチレン樹脂、シリコン樹脂、ウレタン樹脂等を成型したものも好適に用いることができる。
【００３９】
また本発明の連携体Ｃ及び係合体Ｋの部材としての寸法サイズは、引き戸の戸板４の大きさや縦框の形状仕様、さらには各戸板４の間のクリアランスの設計寸法等によって適宜決めることができる。また、前記第１〜第４の傾斜面の傾斜角度は約４５度を中心に適宜設計すればよいが、好適な範囲としては約３０度〜６０度程度が引き戸開閉時の戸板４の動作性にとって好適である。
【００４０】
傾斜角度が大き過ぎると連携体Ｃと係合体Ｋの当接面で滑ってしまって、うまく当接せず戸当たり機能が若干低下する。また、傾斜角度が小さ過ぎると、引き戸どうしを噛み合わせて引き合う方向に力が働くことによって引き戸どうしの連携動作をよりいっそう確実にするといった機能が若干少なくなる。また、前記第２の傾斜面に設けた平担部Ｈの大きさは連携片Ｇ１の厚み寸法の約１０〜３０％程度が第２の傾斜面どうしが当接した際の滑りによる戸板のガタツキ防止にとって好適な範囲である。
【００４１】
図５及び図６において、本発明の連携体Ｃ及び係合体Ｋを用いた引き戸の戸当たり構造において、戸板間の連携動作の詳細を説明する。先ず、図６で、引き戸構造体１の平面図において、本例では三連引き戸の場合を示す。一番奥の戸板は向かって左側に位置し、戸板４ａとし、中央の戸板を４ｂとし、一番手前の戸板は向かって右側に位置し戸板４ｃとする。
【００４２】
一番奥の戸板４ａの手前側の面の向かって右側の縦框５ａの上部及び下部の２カ所に前記連携体Ｃ１をネジ止めする。この時、連携体Ｃ１の連携片Ｇ１を手前にし、且つ第２の傾斜面Ｅ２を戸板の外側にして取り付ける。
【００４３】
次に、中央の戸板４ｂの奥側の面の左右両縦框５ａの上部及び下部の４カ所に連携体Ｃを取り付ける。向かって左側の縦框５ａには連携片Ｇ１を奥側にし且つ第２の傾斜面Ｅ２を戸板４ｂの外側にして取り付ける。この場合の連携体をＣ２とする。また、向かって右側の縦框５ａには、連携片Ｇ１を奥側にし且つ第２の傾斜面Ｅ２を戸板４ｂの内側にして取り付ける。この場合の連携体をＣ３とする。
【００４４】
次に、中央の戸板４ｂの手前側の面の向かって右側の縦框５ａの上部及び下部の２カ所に連携体Ｃ４を取り付ける。この時、戸板４ａの場合と同様にして、連携体Ｃ４の連携片Ｇ１を手前にし、且つ第２の傾斜面Ｅ２を戸板４ｂの外側にして取り付ける。
【００４５】
次に一番手前側の戸板４ｃの奥側の面の向かって左側の縦框５ａの上部及び下部の２カ所に連携体Ｃ５を取り付ける。この時は、戸板４ｂの奥側の面の向かって左側の縦框５ａの場合と同様にして、連携体Ｃ５の連携片Ｇ１を奥側にし且つ第２の傾斜面Ｅ２を戸板４ｃの外側にして取り付ける。
【００４６】
最後に戸板４ｃの奥側の面の向かって右側の縦框の上部及び下部の２カ所に、前記係合体Ｋを取り付ける。この場合は、前記突出部Ｔが奥側にくるようにし、突出部後端部に形成されている第４の傾斜面Ｅ４を戸板４ｃの内側に向く方向にして取り付ける。
【００４７】
図５の（イ）（ロ）（ハ）において、各戸板４ａ、４ｂ、４ｃの開閉動作における各連携体Ｃ１〜Ｃ５と係合体Ｋとの当接状態を説明する。（イ）は戸板を閉める場合に２個の連携体Ｃの第１傾斜面Ｅ１とＥ１とが当接して戸板どうしが連携し、引っ掛け合って連動しながら戸板を閉める方向に移動するのである。この時、前記傾斜面の働きで戸板どうしの連携がよりいっそう確実になるのである。
【００４８】
また（ロ）は戸板を開く場合に２個の連携体Ｃの第２の傾斜面Ｅ２とＥ２とが当接して戸板どうしが連携し、引っ掛け合って連動しながら戸板を開く方向に移動するのである。この時、前記傾斜面の働きで戸板どうしの連携がよりいっそう確実になるのである。そして、３枚の引き戸の右寄せ状態での開き終わりにおいて、前記第２の傾斜面Ｅ２どうしが当接することで、一番奥の戸板４ａの左縦框の引き手（図示せず）が引き込まれ過ぎて手指を挟んで怪我をするといった危険を防止する構成となっている。
【００４９】
さらにこの時（ロ）にす、第２の傾斜面Ｅ２どうしの当接部の要部拡大図でわかるとおり、傾斜面の両端部に平担部Ｈが設けられている。この平担部Ｈの働きで、引き戸構造体の建て込み精度が少し不足している場合において、戸板どうしの第２の傾斜面Ｅ２どうしが当接する際に、滑って戸当たりの機能を果たさなくなる恐れを有効に防止している。
【００５０】
また、（ハ）において、戸板を開く場合に連携体Ｃの第３の傾斜面Ｅ３と係合体Ｋの第４の傾斜面Ｅ４とが当接して戸板どうしが連携し、引っ掛け合って連動しながら戸板を開く方向に移動するのである。この時、前記傾斜面の働きで戸板どうしの連携がよりいっそう確実になるのである。
【００５１】
図６は三連引き戸の場合の平面図で、各戸板４ａ、４ｂ、４ｃの開閉動作を示している。（イ）は三連引き戸を全て閉めた場合を示し、（ロ）は三連引き戸を全て開いた場合を示し、引き戸を全て向かって右側に片寄せた場合を示す。（ハ）は三連引き戸を全て開いた場合を示し、引き戸を全て向かって左側に片寄せた場合を示す。
【００５２】
戸板４ａ、４ｂ、４ｃの閉時（イ）から、開時（ロ）への移行の場合は、下記のとおりで連携手段Ｒが働く。すなわち、向かって左にある戸板４ａの向かって左の縦框５ａにある引き手（図示せず）に手を掛けて右方向へ戸板４ａをスライドさせると向かって右側の縦框５ａにある連携体Ｃ１の第２の傾斜面Ｅ２と中央の戸板４ｂの奥側の向かって右にある連携体Ｃ３の第２の傾斜面Ｅ２が当接し、戸板４ａが戸板４ｂをを引っ掛けながら右方向へ連動しながら移動し、（ロ）に示すように、３枚の戸板が右側に全開する。この時、（ロ）に示すように、前記第２の傾斜面Ｅ２とＥ２どうしの当接によって、一番奥の戸板４ａの向かって左側の縦框５ａが引きこまれずに外側から見える位置でとどまるようになっている。
【００５３】
次に４ａ、４ｂ、４ｃの開時（ロ）から、閉時（イ）への移行の場合は、下記のとおりで連携手段Ｒが働く。すなわち、一番奥の戸板４ａの引き込まれずに外から見える左側の縦框５ａの引き手（図示せず）に手を掛けて左方向へ戸板４ａをスライドさせると、戸板４ａの手前右側の縦框５ａにある連携体Ｃ１の第１の傾斜面Ｅ１と戸板４ｂの奥側の左側にある縦框５ａの連携体Ｃ２の第１の傾斜面Ｅ１とが当接し、戸板４ａが戸板４ｂを引っ掛けながら左方向へ連動しながら移動し（イ）に示すように３枚の戸板４ａ、４ｂ、４ｃが全閉する。
【００５４】
次に戸板４ａ、４ｂ、４ｃの閉時（イ）から、開時（ハ）への移行の場合は、下記のとおりで連携手段Ｒが働く。すなわち、一番手前の戸板４ｃの向かって左の縦框５ａの引き手（図示せず）に手を掛けて左方向へスライドさせると、戸板４ｃの奥側の右側にある縦框５ａの係合体Ｋの突出部Ｔの後端部にある第４の傾斜面Ｅ４が中央の戸板４ｂの手前側の右側の縦框５ａにある連携体Ｃ４の係合凹部Ｕに形成されている第３の傾斜面Ｅ３に当接し、戸板４ｃが戸板４ｂを引っ掛けながら左方向へ連動しながら移動し、全開時において、中央の戸板４ｂの奥側の右側にある連携体Ｃ３の第２の傾斜面Ｅ２と一番奥の戸板４ａの手前側の右側の縦框５ａにある連携体Ｃ１の第２の傾斜面Ｅ２が当接状態で全開となり、この時、（ハ）に示すように、一番手前の戸板４ｃと中央の戸板４ｂの向かって右側の縦框５ａが引きこまれずに残り、一番手前の戸板４ｃの向かって右側の縦框５ａが外側から見える位置でとどまるようになっている。このようにして、３枚の戸板４ａ、４ｂ、４ｃが左側に全開する。
【００５５】
次に４ａ、４ｂ、４ｃの開時（ハ）から、閉時（イ）への移行の場合は、下記のとおりで連携手段Ｒが働く。すなわち、一番手前の戸板４ｃの右側の縦框５ａの引き手（図示せず）に手を掛けて右方向へ戸板４ｃをスライドさせると、戸板４ｃの奥側の左側の縦框５ａにある連携体Ｃ５の第１の傾斜面Ｅ１と中央の戸板４ｂの手前側の右側にある縦框５ａの連携体Ｃ４の第１の傾斜面Ｅ１とが当接し、戸板４ｃが戸板４ｂを引っ掛けながら右方向へ連動しながら移動し（イ）に示すように３枚の戸板４ａ、４ｂ、４ｃが全閉する。
【００５６】
次に（ロ）に示すような３枚の戸板４ａ、４ｂ、４ｃの右寄せ状態での全開状態から（ハ）に示すような左寄せ状態での全開状態への移行時の場合は、下記のとおり連携手段Ｒが働く。すなわち、一番手前の戸板４ｃの左側の縦框５ａの引き手（図示せず）に手を掛け、左方向へスライドさせると、戸板４ｃの奥側の右側の縦框５ａにある係合体Ｋにある第４の傾斜面Ｅ４と中央の戸板４ｂの手前側の右側の縦框５ａにある連携体Ｃ４の第３の傾斜面Ｅ３とが当接して引っ掛けながら、且つ、中央の戸板４ｂの奥側の右側の縦框５ａにある連携体Ｃ３の第２の傾斜面Ｅ２と一番奥の戸板４ａの手前側の右側の縦框５ａにある連携体Ｃ１の第２の傾斜面Ｅ２が当接して引っ掛けながら３枚の戸板が連動して左方向へ移動し（ハ）に示すような左寄せ状態での全開状態となる。
【００５７】
次に、（ハ）に示すような３枚の戸板４ａ、４ｂ、４ｃの左寄せ状態での全開状態から（ロ）に示すような右寄せ状態での全開状態への移行時の場合は、下記のとおり連携手段Ｒが働く。すなわち、一番手前の戸板４ｃの引き手（図示せず）に手を掛けて戸板４ｃを若干距離だけ右方向へ移動させ続いて、中央の戸板４ｂの左側の縦框５ａの引き手（図示せず）を外から見えるようにし、引き手に手を掛けて戸板４ｂを若干距離だけ右方向へ移動させる。このようにすると、一番奥の戸板４ａの向かって左側の縦框５ａが外から見えるようになる。
【００５８】
そこで、一番奥の戸板４ａの向かって左側の縦框５ａにある引き手（図示せず）に手を掛け、右方向へスライドさせると、戸板４ａの手前側の右側の縦框５ａにある連携体Ｃ１にある第２の傾斜面Ｅ２と中央の戸板４ｂの奥側の右側の縦框５ａにある連携体Ｃ３にある第２の傾斜面Ｅ２と当接して引っ掛けながら、且つ、中央の戸板４ｂの手前側の右側の縦框５ａにある連携体Ｃ４にある第３の傾斜面Ｅ３と一番手前の戸板４ｃの奥側の右側の縦框５ａにある係合体Ｋにある第４の傾斜面Ｅ４が当接して引っ掛けながら、３枚の戸板が連動して右方向へ移動し（ロ）に示すような右寄せ状態での全開状態となる。
【図面の簡単な説明】
【００５９】
【図１】本発明の引き戸の戸当たり構造を有する引き戸構造体を示す正面図。
【図２】図１におけるＡ−Ａ線断面図。
【図３】本発明の連携体及び係合体を示す斜視図。
【図４】図３における水平断面図を示す。        （イ）Ａ−Ａ線断面図。        （ロ）Ｂ−Ｂ線断面図。
【図５】本発明の連携体及び係合体の当接状態を示す水平断面図。        （イ）引き戸閉時における連携体の第１傾斜面どうしの当接状態。        （ロ）引き戸開時における連携体の第２傾斜面どうしの当接状態。        （ハ）引き戸開時における連携体の第３傾斜面と係合体の第４傾斜面どうしの当接状態。
【図６】本発明の戸当たり構造を有する引き戸構造体の戸板開閉動作説明の平面図。
【符号の説明】
【００６０】
１      引き戸構造体
２      縦枠
３ａ    上枠
３ｂ    下枠
４      戸板
４ａ    一番奥側の戸板
４ｂ    中央の戸板
４ｃ    一番手前側の戸板
ｍ      化粧面材
５ａ    縦框
５ｂ    横框
Ｓ      下部振れ止め
６      床
７      吊り車
Ｒ      連携手段
Ｃ      連携体
Ｃ１    連携体
Ｃ２    連携体
Ｃ３    連携体
Ｃ４    連携体
Ｃ５    連携体
Ｇ１    連携片
Ｇ２    連携片
Ｄ      鉤状段差部
Ｕ      係合凹部
Ｐ      凸部
Ｎ      ネジ穴
Ｅ１    第１の傾斜面
Ｅ２    第２の傾斜面
Ｈ      平担部
Ｅ３    第３の傾斜面
Ｋ      係合体
Ｊ      係合片
Ｔ      突出部
Ｅ４    第４の傾斜面
【図１】
2005194782.tif 000003
【図２】
2005194782.tif 000004
【図３】
2005194782.tif 000005
【図４】
2005194782.tif 000006
【図５】
2005194782.tif 000007
【図６】
2005194782.tif 000008